(57)【特許請求の範囲】
【請求項１】
レーザ光によって、第１情報を第１トラックピッチに基づいて記録又は再生するための第１トラックが形成された第１情報記録エリアと、
前記レーザ光によって、第２情報を前記第１トラックピッチと比べてトラックピッチが広い第２トラックピッチに基づいて記録又は再生するための第２トラックが形成された第２情報記録エリアと
を少なくとも備え、
前記第２トラックの溝幅が前記第１トラックの溝幅より狭く且つ前記第２トラックの溝深さが前記第１トラックの溝深さより浅い状態、
又は、前記第２トラックの溝幅が前記第１トラックの溝幅より狭い若しくは前記第２トラックの溝深さが前記第１トラックの溝深さより浅いという状態であり、
前記第１情報記録エリア及び前記第２情報記録エリアのうち少なくとも一つにおいては、前記状態であるか否かを示す識別情報が予め記録されていることを特徴とする情報記録媒体。
【請求項２】
当該情報記録媒体を判別可能であると共に、トラッキング制御に依存せずに読み取り可能な判別情報が予め記録された判別情報記録エリア（ＢＣＡ：Burst Cutting Area）を更に有し、
前記識別情報は、前記判別情報に含まれることを特徴とする請求項１に記載の情報記録媒体。
【請求項３】
レーザ光によって、第１情報を第１トラックピッチに基づいて記録又は再生するための第１トラックが形成された第１情報記録エリアと、前記レーザ光によって、第２情報を前記第１トラックピッチと比べてトラックピッチが広い第２トラックピッチに基づいて記録又は再生するための第２トラックが形成された第２情報記録エリアとを少なくとも備え、前記第２トラックの溝幅が前記第１トラックの溝幅より狭く且つ前記第２トラックの溝深さが前記第１トラックの溝深さより浅い状態、
又は、前記第２トラックの溝幅が前記第１トラックの溝幅より狭い若しくは前記第２トラックの溝深さが前記第１トラックの溝深さより浅いという状態である情報記録媒体であって、前記第１情報記録エリア及び前記第２情報記録エリアのうち少なくとも一つにおいては、前記状態であるか否かを示す識別情報が予め記録されている情報記録媒体を再生する情報再生装置であって、
レーザ光を照射し、その反射光を受光する光ピックアップ手段と、
前記識別情報を取得する取得手段と、
前記光ピックアップ手段の出力、及び取得された前記識別情報に基づいて、前記第１情報、及び前記第２情報を再生する再生手段と
を備えることを特徴とする情報再生装置。
【請求項４】
前記情報記録媒体は、当該情報記録媒体を判別可能であると共に、トラッキング制御に依存せずに読み取り可能な判別情報が予め記録された判別情報記録エリア（ＢＣＡ：Burst Cutting Area）を更に有し、前記識別情報は、前記判別情報に含まれ、
前記判別情報をトラッキング制御に依存せずに読み取り可能な読取手段を更に備え、
前記再生手段は、更に、読み取られた前記判別情報に基づいて、前記第１情報、及び前記第２情報を再生することを特徴とする請求項３に記載の情報再生装置。
【請求項５】
レーザ光によって、第１情報を第１トラックピッチに基づいて記録又は再生するための第１トラックが形成された第１情報記録エリアと、前記レーザ光によって、第２情報を前記第１トラックピッチと比べてトラックピッチが広い第２トラックピッチに基づいて記録又は再生するための第２トラックが形成された第２情報記録エリアとを少なくとも備え、
前記第２トラックの溝幅が前記第１トラックの溝幅より狭く且つ前記第２トラックの溝深さが前記第１トラックの溝深さより浅い状態、
又は、前記第２トラックの溝幅が前記第１トラックの溝幅より狭い若しくは前記第２トラックの溝深さが前記第１トラックの溝深さより浅いという状態であり、
前記第１情報記録エリア及び前記第２情報記録エリアのうち少なくとも一つにおいては、前記状態であるか否かを示す識別情報が予め記録されている情報記録媒体を製造する製造装置であって、
スピンコートに基づいて、（ｉ）前記第１トラックの溝における幅及び深さのうち少なくとも一方の第１絶対量、又は（ｉｉ）前記第２トラックの溝における幅及び深さのうち少なくとも一方の第２絶対量に対応した原板を作成する原板作成手段と、
カッティング用レーザ光のレーザパワーに基づいて、前記原板を、前記第１絶対量、及び前記第２絶対量に夫々対応するように加工する原板加工手段と、
前記原板から、電鋳に基づいて、スタンパを作成するスタンパ作成手段と、
前記スタンパによって前記情報記録媒体を成型する成型手段と
を備えることを特徴とする情報記録媒体の製造装置。
【請求項６】
レーザ光によって、第１情報を第１トラックピッチに基づいて記録又は再生するための第１トラックが形成された第１情報記録エリアと、前記レーザ光によって、第２情報を前記第１トラックピッチと比べてトラックピッチが広い第２トラックピッチに基づいて記録又は再生するための第２トラックが形成された第２情報記録エリアとを少なくとも備え、前記第２トラックの溝幅が前記第１トラックの溝幅より狭く且つ前記第２トラックの溝深さが前記第１トラックの溝深さより浅い状態、
又は、前記第２トラックの溝幅が前記第１トラックの溝幅より狭い若しくは前記第２トラックの溝深さが前記第１トラックの溝深さより浅いという状態である情報記録媒体であって、前記第１情報記録エリア及び前記第２情報記録エリアのうち少なくとも一つにおいては、前記状態であるか否かを示す識別情報が予め記録されている情報記録媒体を再生するために、レーザ光を照射し、その反射光を受光する光ピックアップ手段を含む情報再生装置における情報再生方法であって、
前記識別情報を取得する取得工程と、
前記光ピックアップ手段の出力、及び取得された前記識別情報に基づいて、前記第１情報、及び前記第２情報を再生する再生工程と
を備えることを特徴とする情報再生方法。
【請求項７】
レーザ光によって、第１情報を第１トラックピッチに基づいて記録又は再生するための第１トラックが形成された第１情報記録エリアと、前記レーザ光によって、第２情報を前記第１トラックピッチと比べてトラックピッチが広い第２トラックピッチに基づいて記録又は再生するための第２トラックが形成された第２情報記録エリアとを少なくとも備え、
前記第２トラックの溝幅が前記第１トラックの溝幅より狭く且つ前記第２トラックの溝深さが前記第１トラックの溝深さより浅い状態、
又は、前記第２トラックの溝幅が前記第１トラックの溝幅より狭い若しくは前記第２トラックの溝深さが前記第１トラックの溝深さより浅いという状態であり、
前記第１情報記録エリア及び前記第２情報記録エリアのうち少なくとも一つにおいては、前記状態であるか否かを示す識別情報が予め記録されている情報記録媒体を製造する製造方法であって、
スピンコートに基づいて、（ｉ）前記第１トラックの溝における幅及び深さのうち少なくとも一方の第１絶対量、又は（ｉｉ）前記第２トラックの溝における幅及び深さのうち少なくとも一方の第２絶対量に対応した原板を作成するための原板作成工程と、
カッティング用レーザ光のレーザパワーに基づいて、前記原板を、前記第１絶対量、及び前記第２絶対量に夫々対応するように加工する原板加工工程と、
前記原板から、電鋳に基づいて、スタンパを作成するスタンパ作成工程と、
前記スタンパによって前記情報記録媒体を成型する成型工程と
を備えることを特徴とする情報記録媒体の製造方法。
【発明の詳細な説明】
【技術分野】
【０００１】
本発明は、例えばＤＶＤ（Digital Versatile Disc）、ＢＤ（Blu-ray Disc）、ＣＤ（Compact Disc）等の情報記録媒体、当該情報記録媒体に情報を再生するためのＤＶＤプレーヤー等の情報再生装置及び方法、並びに、情報記録媒体を製造する製造装置及び方法の技術分野に関する。
【背景技術】
【０００２】
例えば、ＣＤ−Ｒ（Compact Disc−Recordable）、ＤＶＤ−Ｒ、ＤＶＤ−ＲＷ、ＤＶＤ＋Ｒ、及び、ＢＤ−ＲＥ（Blu-ray Disc Rewritable）等の記録型の情報記録媒体では、基板上に積層された、少なくとも一つの記録層に対して記録用のレーザ光を集光することで、当該記録層に対して情報が加熱などによる非可逆変化記録方式や書換え可能方式で記録される。或いは、当該記録層に備えられた、例えば管理情報記録エリア等において、管理情報が予め記録されている。ここに、管理情報とは、例えば最適記録パワー等の記録特性に関する情報や、媒体の種類を特定するための属性情報等の、当該情報記録媒体を管理するための各種の情報である。詳細には、ＤＶＤ−Ｒにおいては、レーザ光によって予め記録されている。或いは、ＤＶＤ−ＲＷにおいては、内周側にエンボスピットが形成されることによって管理情報が予め記録されている。【０００３】
特に、例えば波長が４０５ｎｍであるＢＤ等の相対的に短い波長のレーザ光によって、記録又は再生が行われるＢＤ−ＲＥにおいては、ユーザデータエリアとは異なる変調方式でグルーブトラックによって、管理情報が予め記録されている。加えて、管理情報は当該光ディスクの特徴を知り得る、唯一固有の情報であり重要であるため、例えばドライブ等の情報記録再生装置によって、確実且つ適切に読み取り可能なように、隣接トラックからの影響、即ち、クロストークによる再生品質の低下を抑制するために、トラックピッチを相対的に大きくする手法についても提案されている。特に、ＢＤ−ＲＥにおいては、スポット径が、例えばＤＶＤ等におけるスポット径よりも相対的に小さくなるので、このようにトラックピッチを相対的に大きくすることは、再生品質の向上の観点で効果的である。【０００４】
【特許文献１】特開２００３−３４６３８４号公報
【発明の開示】
【発明が解決しようとする課題】
【０００５】
しかしながら、例えばＢＤ−ＲＥ等の情報記録媒体においては、上述したように、ユーザデータエリアのトラックピッチより大きなトラックピッチが設定された管理情報記録エリアがユーザデータエリアの内周側に配置されている。【０００６】
よって、仮に、グルーブトラックの溝の深さが情報記録媒体の信号面において、概ね同じ場合、管理情報記録エリアのトラックピッチが相対的に大きいことに対応して、半径方向に２分割された受光面から夫々検出される検出信号の差に基づいて生成されるプッシュプル信号の振幅も相対的に大きくなる。【０００７】
よって、例えば対物レンズを面振れ方向やトラック振れ方向に変位させるアクチュエータを駆動する駆動回路においては、上述したように管理情報記録エリアから得られる、振幅が相対的に大きなプッシュプル信号に起因される漏れ込みノイズは、例えば非点収差法等のフォーカス制御の下でのフォーカスエラー信号にとって、外乱であり、悪影響を及ぼし、ひいては、フォーカス制御を破綻させる可能性があるという技術的な問題点を有している。【０００８】
本発明は、例えば上述した従来の問題点に鑑みなされたものであり、例えば複数種類のトラックピッチが設定された情報記録媒体であっても、より簡便且つ高精度に情報の再生等を行うことを可能とならしめる情報記録媒体、情報再生装置及び方法、情報記録媒体の製造装置及び方法、並びに、コンピュータをこのような情報再生装置、及び製造装置として機能させるコンピュータプログラムを提供することを課題とする。
【課題を解決するための手段】
【０００９】
（情報記録媒体）
以下、本発明の情報記録媒体について説明する。【００１０】
上記課題を解決するために、本発明の情報記録媒体は、レーザ光によって、第１情報（ユーザデータ、ユーザ情報）を第１トラックピッチに基づいて記録又は再生するための第１トラックが形成された第１情報記録エリア（ユーザデータエリア又は第１管理情報記録エリア）と、前記レーザ光によって、第２情報（管理情報）を第１トラックピッチとは異なる第２トラックピッチに基づいて記録又は再生するための第２トラックが形成された第２情報記録エリア（第２管理情報記録エリア：プリ記録エリア）とを少なくとも備え、前記第１トラックの溝形状と、前記第２トラックの溝形状とは異なる。【００１１】
本発明の情報記録媒体によれば、例えば、ディスク状の基板上に、少なくとも１つの記録層が積層されている。この記録層の第１情報記録エリアにおいては、例えば波長が４０５ｎｍであるＢＤ等の相対的に短い波長のレーザ光によって、例えば音声、映像情報、コンテンツ情報、或いは、ユーザデータ等の第１情報がグルーブトラック、及びランドトラック等により構成される第１トラックを介して、第１トラックピッチに基づいて、記録又は再生可能とされている。この記録層の第２情報記録エリアにおいては、例えばＢＤ等のレーザ光によって、例えば管理情報等の第２情報がグルーブトラック、及びランドトラック等により構成される第２トラックを介して、第２トラックピッチに基づいて、記録又は再生可能とされている。【００１２】
特に、本発明では、例えば管理情報記録エリア等の第２情報記録エリアの溝形状が、例えば深さや幅が相対的に変化されたり、溝が分断されていたりすることで、例えばユーザデータエリア等の第１情報記録エリアの溝形状と異なる。尚、トラックを構成するグルーブトラックにおいて、溝形状が異なるようにしてもよいし、或いは、トラックを構成するランドトラックにおいて、溝形状が異なるようにしてもよい。従って、本発明では、第２情報記録エリアから得られるプッシュプル信号の振幅を小さくさせ、第１情報記録エリアから得られるプッシュプル信号の振幅により近づけることが可能である。具体的には、第２情報記録エリアの溝形状においては、トラックピッチが相対的に大きいにもかかわらず、深さが相対的に浅くされていたり、幅が相対的に狭くされていたり、溝が分断されていたりさせる。このことにより、例えば情報再生装置によるトラッキング制御の際に、半径方向に２分割された受光面から夫々検出される検出信号の差に基づいて生成されるプッシュプル信号の振幅を適正な値を取るように変化させることが可能である。【００１３】
この結果、例えば対物レンズを面振れ方向やトラック振れ方向に変位させるアクチュエータを駆動する駆動回路において、第２情報記録エリアから得られる、振幅が小さくされ、第１情報記録エリアから得られるプッシュプル信号の振幅により近づけられたプッシュプル信号に起因される漏れ込みノイズによる、例えば非点収差法等のフォーカス制御への影響を低減させ、悪影響を殆ど又は完全に無くすことが可能である。従って、後述される情報再生装置において、フォーカス制御やトラッキング制御を含む各種自動制御をより高精度に行わせ、より高精度な情報の再生を実現させることが可能である。【００１４】
本発明の情報記録媒体の一の態様では、前記第１トラックの溝における幅及び深さのうち少なくとも一方の第１絶対量と、前記第２トラックの溝における幅及び深さのうち少なくとも一方の第２絶対量とは異なる。【００１５】
この態様によれば、当該情報記録媒体における、第１絶対量及び第２絶対量に基づいて、後述される情報再生装置において、フォーカス制御やトラッキング制御を含む各種自動制御をより高精度に行わせ、より高精度な情報の再生を実現させることが可能である。ここに「絶対量」とは距離（長さ）を示す。【００１６】
本発明の情報記録媒体の他の態様では、前記第１トラック、及び前記第２トラックのうち一方の溝形状は、所定振幅のプッシュプル信号が得られるように形成されている。【００１７】
この態様によれば、当該情報記録媒体における、所定振幅のプッシュプル信号が得られるように形成されたグルーブトラック等のトラックの溝形状に基づいて、後述される情報再生装置において、フォーカス制御やトラッキング制御を含む各種自動制御をより高精度に行わせ、より高精度な情報の再生を実現させることが可能である。【００１８】
本発明の情報記録媒体の他の態様では、前記第１トラック、及び前記第２トラックのうち一方は、トラック方向（時間軸方向）に沿って、分断されている。【００１９】
この態様によれば、当該情報記録媒体における、トラック方向（時間軸方向）に沿って、分断されているトラックの溝形状に基づいて、後述される情報再生装置において、フォーカス制御やトラッキング制御を含む各種自動制御をより高精度に行わせ、より高精度な情報の再生を実現させることが可能である。ここに、トラック方向とは、情報を再生するために、レーザ光の光スポットが照射される時間が流れる方向と対応される、信号面上での方向である。一具体例としては、スパイラル状、又は、同心円状に形成されたトラックの接線方向である。【００２０】
本発明の情報記録媒体の他の態様では、前記第１トラック、及び前記第２トラックのうち一方は、所定の間隙比率で分断されている。【００２１】
この態様によれば、当該情報記録媒体における、所定の間隙比率で分断されているグルーブトラック等のトラックに基づいて、後述される情報再生装置において、フォーカス制御やトラッキング制御を含む各種自動制御をより高精度に行わせ、より高精度な情報の再生を実現させることが可能である。ここに、間隙比率とは、（ｉ）溝が形成された溝形成部の長さと、（ｉｉ）溝が形成されない間隙（スペース）の長さとの割合を意味するようにしてもよい。加えて、間隙比率は、例えば、光ピックアップの対物レンズ等の再生光学系の開口率（ＮＡ：Numerical Aperture）、及び、レーザ光の波長に基づいて決定されるようにしてもよい。加えて、所定の間隙比率とは、各種のパラメータの、情報記録媒体の信号面全体における平均値を示してもよいし、部分的な領域における割合を示すようにしてもよい。【００２２】
本発明の情報記録媒体の他の態様では、前記第１トラック、及び前記第２トラックのうち一方は、所定振幅のプッシュプル信号が得られるような所定の間隙比率で分断されている。【００２３】
この態様によれば、当該情報記録媒体における、所定振幅のプッシュプル信号が得られるような所定の間隙比率で分断されているトラックに基づいて、後述される情報再生装置において、フォーカス制御やトラッキング制御を含む各種自動制御をより高精度に行わせ、より高精度な情報の再生を実現させることが可能である。【００２４】
本発明の情報記録媒体の他の態様では、前記第１トラック、及び前記第２トラックのうち一方は、（ｉ）溝が形成された溝形成部の長さと、（ｉｉ）溝が形成されない間隙（スペース）の長さとの割合で示される所定の間隙比率で分断されている。【００２５】
この態様によれば、当該情報記録媒体における、（ｉ）溝が形成された溝形成部の長さと、（ｉｉ）溝が形成されない間隙（スペース）の長さとの割合で示される所定の間隙比率で分断されているグルーブトラック等のトラックに基づいて、後述される情報再生装置において、フォーカス制御やトラッキング制御を含む各種自動制御をより高精度に行わせ、より高精度な情報の再生を実現させることが可能である。【００２６】
本発明の情報記録媒体の他の態様では、前記第１情報記録エリアは、前記第１情報として、ユーザデータが記録可能であり、前記第２情報記録エリアは、前記第１情報記録エリアよりも内周側に配置され、当該第２情報記録エリアにおいては、前記第２情報として、前記レーザ光の記録特性に関する管理情報が、第１トラックピッチより大きな第２トラックピッチに基づいて予め記録されている。【００２７】
この態様によれば、後述される情報再生装置によって、内周側に配置される第２情報記録エリアにおいて、フォーカス制御やトラッキング制御を含む各種自動制御をより高精度に行わせ、より高精度な管理情報の再生を実現させることが可能である。【００２８】
この態様では、前記第１トラックピッチは、０．３２（μｍ）であり、前記第２トラックピッチは、０．３５（μｍ）であるように構成してもよい。【００２９】
このように構成すれば、例えば、ＢＤ（Blu-ray Disc）等の所定の規格に準拠することが可能となる。【００３０】
本発明の情報記録媒体の他の態様では、前記第１情報記録エリア及び前記第２情報記録エリアのうち少なくとも一つにおいては、前記第１トラックの溝形状と、前記第２トラックの溝形状とは異なるか否かを示す識別情報（フラグ）が予め記録されている。【００３１】
この態様によれば、後述される情報再生装置によって、取得された識別情報に基づいて、グルーブトラック等のトラックの溝形状が異なるか否かを、迅速且つ的確に判定して、当該情報記録媒体を迅速且つ的確に再生することが可能となる。【００３２】
この態様では、当該情報記録媒体を判別可能であると共に、トラッキング制御に依存せずに読み取り可能な判別情報が予め記録された判別情報記録エリア（ＢＣＡ：Burst Cutting Area）を更に有し、前記識別情報は、前記判別情報に含まれるように構成してもよい。【００３３】
このように構成すれば、トラッキング制御を行うことなく、光ディスクの回転制御だけで、識別情報を、判別情報記録エリアから再生すること可能である。【００３４】
本発明の情報記録媒体の他の態様では、前記第１情報記録エリアにおいては、（ｉ−１）前記第１トラックとしての第１グルーブトラックと、（ｉ−２）第１ランドトラックとが交互に形成されており、前記第２情報記録エリアにおいては、（ｉｉ−１）前記第２トラックとしての第２グルーブトラックと、（ｉｉ−２）第２ランドトラックとが交互に形成されている。【００３５】
この態様によれば、当該情報記録媒体において、グルーブトラックの形状を異ならせることによって、後述される情報再生装置において、フォーカス制御やトラッキング制御を含む各種自動制御をより高精度に行わせ、より高精度な情報の再生を実現させることが可能である。【００３６】
本発明の情報記録媒体の他の態様では、複数の情報を夫々記録するための複数の記録層を備えており、前記複数の記録層のうち、少なくとも一の記録層は、前記第１情報記録エリア、及び前記第２情報記録エリアを備える。【００３７】
この態様によれば、多層型の情報記録媒体において、グルーブトラック等のトラックの溝形状を異ならせることによって、後述される情報再生装置において、フォーカス制御やトラッキング制御を含む各種自動制御をより高精度に行わせ、より高精度な情報の再生を実現させることが可能である。【００３８】
（情報再生装置）
以下、本発明の情報再生装置について説明する。【００３９】
上記課題を解決するために、本発明の情報再生装置は、レーザ光によって、第１情報（ユーザ情報：ユーザデータ）を第１トラックピッチに基づいて記録又は再生するための第１トラックが形成された第１情報記録エリア（ユーザデータエリア又は第１管理情報記録エリア）と、前記レーザ光によって、第２情報（管理情報）を第１トラックピッチとは異なる第２トラックピッチに基づいて記録又は再生するための第２トラックが形成された第２情報記録エリア（第２管理情報記録エリア：プリ記録エリア）とを少なくとも備え、前記第１トラックの溝形状と、前記第２トラックの溝形状とは異なる情報記録媒体であって、前記第１情報記録エリア及び前記第２情報記録エリアのうち少なくとも一つにおいては、前記第１トラックの溝形状と、前記第２トラックの溝形状とは異なるか否かを示す識別情報（フラグ）が予め記録されている情報記録媒体を再生する情報再生装置であって、レーザ光を照射し、その反射光を受光する光ピックアップ手段と、前記識別情報を取得する取得手段と、前記光ピックアップ手段の出力、及び取得された前記識別情報に基づいて、前記第１情報、及び前記第２情報を再生する再生手段とを備える。【００４０】
本発明の情報再生装置によれば、先ず、光ピックアップ手段によって、レーザ光が照射され、その反射光が受光される。同時に、又は、相前後して、取得手段によって、第１トラックの溝形状と、前記第２トラックの溝形状とは異なるか否かを示す識別情報（フラグ）が取得される。次に、再生手段によって、光ピックアップ手段の出力、及び、取得された前記識別情報に基づいて、第１情報、及び第２情報が再生される。【００４１】
この結果、当該情報再生装置によって、取得された識別情報に基づいて、トラックの溝形状が異なるか否かを、迅速且つ的確に判定して、当該情報記録媒体を迅速且つ的確に再生することが可能となる。【００４２】
尚、上述した本発明の情報記録媒体が有する各種態様に対応して、本発明の情報再生装置も各種態様を採ることが可能である。【００４３】
本発明の情報再生装置の一の態様では、前記情報記録媒体は、当該情報記録媒体を判別可能であると共に、トラッキング制御に依存せずに読み取り可能な判別情報が予め記録された判別情報記録エリア（ＢＣＡ：Burst Cutting Area）を更に有し、前記識別情報は、前記判別情報に含まれ、前記判別情報をトラッキング制御に依存せずに読み取り可能な読取手段を更に備え、前記再生手段は、更に、読み取られた前記判別情報に基づいて、前記第１情報、及び前記第２情報を再生する。【００４４】
この態様によれば、トラッキング制御を行うことなく、情報記録媒体の回転制御だけで、識別情報を判別情報記録エリアから再生すること可能である。【００４５】
（情報記録媒体の製造装置）
以下、本発明の情報記録媒体の製造装置について説明する。【００４６】
上記課題を解決するために、本発明の情報記録媒体の製造装置は、レーザ光によって、第１情報（ユーザ情報：ユーザデータ）を第１トラックピッチに基づいて記録又は再生するための第１トラックが形成された第１情報記録エリア（ユーザデータエリア又は第１管理情報記録エリア）と、前記レーザ光によって、第２情報（管理情報）を第１トラックピッチとは異なる第２トラックピッチに基づいて記録又は再生するための第２トラックが形成された第２情報記録エリア（第２管理情報記録エリア：プリ記録エリア）とを少なくとも備える情報記録媒体を製造する製造装置であって、スピンコートに基づいて、（ｉ）前記第１トラックの溝における幅及び深さのうち少なくとも一方の第１絶対量、又は（ｉｉ）前記第２トラックの溝における幅及び深さのうち少なくとも一方の第２絶対量に対応した原板を作成する原板作成手段（フォトレジストのスピンコート）と、カッティング用レーザ光のレーザパワーに基づいて、前記原板を、前記第１絶対量、及び前記第２絶対量に夫々対応するように加工する原板加工手段（レーザカッティング）と、前記原板から、電鋳に基づいて、スタンパを作成するスタンパ作成手段と、前記スタンパによって前記情報記録媒体を（射出）成型する成型手段（射出成型機、反射膜の塗布を含む）とを備える。【００４７】
本発明の情報記録媒体の製造装置によれば、原板作成手段によって、例えば、フォトレジストのスピンコートに基づいて、（ｉ）第１グルーブトラックの溝における幅及び深さのうち少なくとも一方の第１絶対量、又は（ｉｉ）第２グルーブトラックの溝における幅及び深さのうち少なくとも一方の第２絶対量に対応した原板が作成される。【００４８】
次に、原板加工手段によって、レーザカッティング用レーザ光のレーザパワーに基づいて、原板が、第１絶対量、及び第２絶対量に夫々対応するように加工される。次に、スタンパ作成手段によって、加工された原板から、電鋳に基づいて、スタンパが作成される。
次に、例えば射出成型機等の成型手段によって、作成されたスタンパによって情報記録媒体が、例えば射出成型され、反射膜の塗布等の処理を経て、情報記録媒体が製造される。【００４９】
この結果、第１グルーブトラックの溝形状と、前記第２グルーブトラックの溝形状とが異なる情報記録媒体を、より簡便且つ高精度に製造することが可能となる。【００５０】
尚、上述した本発明の情報記録媒体が有する各種態様に対応して、本発明の情報記録媒体の製造装置も各種態様を採ることが可能である。【００５１】
本発明の情報記録媒体の製造装置の一の態様では、成型された前記情報記録媒体に形成された前記第１トラック、及び前記第２トラックのうち一方を、トラック方向（時間軸方向）に沿って、分断する分断手段とを更に備える。【００５２】
この態様によれば、分断手段によって、トラックの溝が分断された情報記録媒体を、より簡便且つ高精度に製造することが可能となる。【００５３】
（情報再生方法）
以下、本発明の情報再生方法について説明する。【００５４】
上記課題を解決するために、本発明の情報再生方法は、レーザ光によって、第１情報（ユーザ情報：ユーザデータ）を第１トラックピッチに基づいて記録又は再生するための第１トラックが形成された第１情報記録エリア（ユーザデータエリア又は第１管理情報記録エリア）と、前記レーザ光によって、第２情報（管理情報）を第１トラックピッチとは異なる第２トラックピッチに基づいて記録又は再生するための第２トラックが形成された第２情報記録エリア（第２管理情報記録エリア：プリ記録エリア）とを少なくとも備え、前記第１トラックの溝形状と、前記第２トラックの溝形状とは異なる情報記録媒体であって、前記第１情報記録エリア及び前記第２情報記録エリアのうち少なくとも一つにおいては、前記第１トラックの溝形状と、前記第２トラックの溝形状とは異なるか否かを示す識別情報（フラグ）が予め記録されている情報記録媒体を再生するために、レーザ光を照射し、その反射光を受光する光ピックアップ手段を含む情報再生装置における情報再生方法であって、前記識別情報を取得する取得工程と、前記光ピックアップ手段の出力、及び取得された前記識別情報に基づいて、前記第１情報、及び前記第２情報を再生する再生工程とを備える。【００５５】
本発明の情報再生方法によれば、上述した本発明の情報再生装置が有する各種利益を享受することが可能となる。【００５６】
尚、上述した本発明の情報再生装置が有する各種態様に対応して、本発明の情報再生方法も各種態様を採ることが可能である。【００５７】
（情報記録媒体の製造方法）
以下、本発明の情報記録媒体の製造方法について説明する。【００５８】
上記課題を解決するために、本発明の情報記録媒体の製造方法は、レーザ光によって、第１情報（ユーザ情報：ユーザデータ）を第１トラックピッチに基づいて記録又は再生するための第１トラックが形成された第１情報記録エリア（ユーザデータエリア又は第１管理情報記録エリア）と、前記レーザ光によって、第２情報（管理情報）を第１トラックピッチとは異なる第２トラックピッチに基づいて記録又は再生するための第２トラックが形成された第２情報記録エリア（第２管理情報記録エリア：プリ記録エリア）とを少なくとも備える情報記録媒体を製造する製造方法であって、スピンコートに基づいて、（ｉ）前記第１トラックの溝における幅及び深さのうち少なくとも一方の第１絶対量、又は（ｉｉ）前記第２トラックの溝における幅及び深さのうち少なくとも一方の第２絶対量に対応した原板を作成するための原板作成工程（フォトレジストのスピンコート）と、カッティング用レーザ光のレーザパワーに基づいて、前記原板を、前記第１絶対量、及び前記第２絶対量に夫々対応するように加工する原板加工工程（レーザカッティング）と、前記原板から、電鋳に基づいて、スタンパを作成するスタンパ作成工程と、前記スタンパによって前記情報記録媒体を（射出）成型する成型工程（射出成型機、反射膜の塗布を含む）とを備える。【００５９】
本発明の情報記録媒体の製造方法によれば、上述した本発明の情報記録媒体の製造装置が有する各種利益を享受することが可能となる。【００６０】
尚、上述した本発明の情報記録媒体の製造装置が有する各種態様に対応して、本発明の情報記録媒体の製造方法も各種態様を採ることが可能である。【００６１】
本発明のこのような作用及び他の利得は次に説明する実施例から明らかにされる。【００６２】
以上説明したように、本発明の情報記録媒体によれば、レーザ光によって、第１情報を第１トラックピッチに基づいて記録又は再生するための第１トラックが形成された第１情報記録エリアと、レーザ光によって、第２情報を第１トラックピッチとは異なる第２トラックピッチに基づいて記録又は再生するための第２トラックが形成された第２情報記録エリアとを少なくとも備え、第１トラックの溝形状と、第２トラックの溝形状とは異なる。この結果、情報再生装置において、フォーカス制御やトラッキング制御を含む各種自動制御をより高精度に行わせ、より高精度な情報の再生を実現させることが可能である。【００６３】
本発明の情報再生装置及び方法によれば、光ピックアップ手段と、取得手段及び工程と、再生手段及び工程とを備える。この結果、当該情報再生装置によって、取得された識別情報に基づいて、トラックの溝形状が異なるか否かを、迅速且つ的確に判定して、当該情報記録媒体を迅速且つ的確に再生することが可能となる。【００６４】
本発明の情報製造装置及び方法によれば、原板作成手段と、原板加工手段及び工程と、スタンパ作成手段及び工程と、成型手段及び工程とを備える。この結果、第１トラックの溝形状と、第２トラックの溝形状とが異なる情報記録媒体を、より簡便且つ高精度に製造することが可能となる。
【図面の簡単な説明】
【００６５】
【図１】本発明の情報記録媒体の第１実施例に係る光ディスク１００の基本構成を示した概略平面図、及び、当該平面図に対応付けられる、半径方向における記録エリアの構造を図式的に示した概念図である。
【図２】本発明の情報記録媒体の実施例に係る光ディスクにおける、トラックピッチに基づいた物理的な構成を図式的に示した拡大平面図、及び、対応される概略平面図である。
【図３】本発明の情報記録媒体の実施例に係る光ディスクの記録面における部分拡大斜視図である。
【００６６】
【図４】本発明の情報記録媒体の実施例に係る光ディスクにおける、グルーブトラックの溝形状の一具体例に基づいた物理的な構成を図式的に示した拡大平面図、及び、対応される概略平面図である。
【図５】本発明の情報記録媒体のグルーブトラックの溝における幅及び深さの局所的な変化の一具体例を示したグラフである。
【図６】本発明の情報記録媒体の実施例に係る光ディスクにおける、物理的な構成に対応される、再生特性の一具体例であるプッシュプル信号を図式的に示したグラフ、及び、対応される概略平面図である。
【図７】本発明の情報記録媒体の実施例に係る光ディスクにおける、物理的な構成に対応される、プッシュプル信号と、フォーカスエラー信号との関係を示した概念図である。
【図８】本発明の所定の間隙比率の値を決定するパラメータであるＰＰ信号の振幅の一例を示したグラフ（図８（ａ））、及び、所定の間隙比率の一例に対応されるグルーブと間隙を示した模式図（図８（ｂ））である。
【図９】本発明の情報再生装置に係る実施例における情報再生装置２００の全体構成を示すブロック図である。
【００６７】
【図１０】本発明の製造装置に係る実施例であるマスタリング装置の全体構成を示すブロック図である。
【図１１】本発明の情報記録媒体の製造装置に係る一の製造手順を図式的に示した模式図である。
【図１２】本発明の情報記録媒体の製造装置に係る他の製造手順を図式的に示した模式図である。
【図１３】本発明の情報記録媒体に係る第２実施例における、管理情報記録エリアに形成されたグルーブトラックの溝が分断されているか否かを示す識別情報（フラグ）等を含む管理情報を示したテーブルである。
【図１４】本発明の情報記録媒体に対する再生方法の一具体例を示したフローチャートである。
【図１５】本発明の情報記録媒体に係る第３実施例の光ディスクの半径方向における記録エリアの構造を図式的に示した概念図である。
【符号の説明】
【００６８】
１…センターホール、１０…トラック、１１…ＥＣＣブロック、２０…第２管理情報記録エリア、２１…第１管理情報記録エリア、５０…マスタリング装置、１００…光ディスク、１０１…リードインエリア、１０２…ユーザデータエリア、１０３…リードアウトエリア、１０４…ミドルエリア、２００…情報再生装置、ＣＫ１…第１クロック信号、ＣＫ２…第２クロック信号、ＴＰ１（ＴＰ２）…トラックピッチ
【発明を実施するための最良の形態】
【００６９】
以下、本発明を実施するための最良の形態について実施例毎に順に図面に基づいて説明する。【００７０】
（１）情報記録媒体の第１実施例
以下、図１から図７を参照して本発明の情報記録媒体に係る第１実施例について説明を進める。【００７１】
（１−１）基本構成
先ず、図１を参照して、本発明の情報記録媒体の第１実施例に係る光ディスクの基本構成の概略について説明する。ここに、図１は、本発明の情報記録媒体の第１実施例に係る光ディスク１００の基本構成を示した概略平面図、及び、当該平面図に対応付けられる、半径方向における記録エリアの構造を図式的に示した概念図である。【００７２】
図１に示すように、本実施例に係る光ディスク１００は、例えば、ＤＶＤと同じく直径１２ｃｍ程度のディスク本体上の記録面に、センターホール１を中心として内周側から外周側に向けて、ＢＣＡ（Burst Cutting Area）、第１管理情報記録エリア２１、及び第２管理情報記録エリア２０を含むリードインエリア１０１、ユーザデータエリア１０２、及びリードアウトエリア１０３が設けられている。ここに、「第１及び第２管理情報記録エリア」とは、当該光ディスクの管理情報の一部又は全部として、例えば最適記録パワー等の記録特性に関する情報や、光ディスクの種類を特定するための属性情報等が予め記録される記録領域のことである。尚、第１管理情報記録エリア２１のトラックピッチは、０．３２μｍに設定され、第２管理情報記録エリア２０のトラックピッチは、０．３５μｍに設定されている。特に、本実施例においては、例えばユーザデータエリア１０２、又は、第１管理情報記録エリアによって、本発明の第１情報記録エリアの一具体例が構成されている。加えて、第２管理情報記録エリアによって、本発明の第２情報記録エリアの一具体例が構成されている。また、ＢＣＡ（Burst Cutting Area）は、光ディスクの各種の属性を判別可能である判別情報が予め記録された記録エリアのことである。より具体的には、ＢＣＡは、複数のトラックに跨って、バーコード状に低密度で判別情報を記録可能であり、トラッキング制御を行うことなく、光ディスクの回転制御だけで、判別情報を再生すること可能である。また、判別情報の具体例としては、例えば光ディスク１００の一枚一枚に固有な製造番号、所謂、メディアＩＤ等を挙げることができる。【００７３】
そして、各記録エリアには、例えば、センターホール１を中心にスパイラル状或いは同心円状に、例えば、グルーブトラック及びランドトラック等のトラック１０が交互に設けられている。このトラック１０上には、データがＥＣＣ（Error Correction Code）ブロック１１という単位で分割されて記録される。ＥＣＣブロック１１は、データのエラー訂正が可能な当該データの管理単位である。【００７４】
尚、光ディスク１００の形状や大きさはこれに限定されるものではなく、様々な大きさ及び様々な形状を採用しても良いことは言うまでもない。例えば、本発明の光ディスク１００は、単層構造でなくてもよい。後述されるように、２層片面、即ち、デュアルレイヤタイプ、又は、２層両面、即ち、ダブルサイドタイプであってもよい。更に、３層以上の多層型の光ディスクであってもよい。【００７５】
（１−２）情報記録媒体の物理的な構成、及び再生特性
次に、図２から図８を参照して、本発明の情報記録媒体の実施例に係る光ディスクにおける、例えばプッシュプル信号に基づいた再生特性に対応される、物理的な構成について説明する。【００７６】
（１−２−１）物理的な構成の概要
先ず、図２及び図３を参照して、本発明の情報記録媒体の実施例に係る光ディスクにおける、物理的な構成の概要について説明する。ここに、図２は、本発明の情報記録媒体の実施例に係る光ディスクにおける、トラックピッチに基づいた物理的な構成を図式的に示した拡大平面図、及び、対応される概略平面図である。図３は、本発明の情報記録媒体の実施例に係る光ディスクの記録面における部分拡大斜視図である。【００７７】
図２に示されるように、本発明の情報記録媒体の実施例に係る光ディスクにおいては、２種類のトラックピッチに基づいて、グルーブトラックが形成されている。詳細には、ユーザデータエリア１０２に対応される、グルーブトラック（即ち、本発明の第１トラックの一具体例）は、例えば０．３２（μｍ）のトラックピッチに基づいて、形成されている。加えて、第２管理情報記録エリア２０に対応される、グルーブトラック（即ち、本発明の第２トラックの一具体例）は、例えば０．３５（μｍ）のトラックピッチに基づいて、形成されている。このように、光ディスクを管理する管理情報が予め記録される第２管理情報記録エリア２０のトラックピッチが相対的に大きくされることで、隣接トラックからの影響、即ち、クロストークによる再生品質の低下を抑制し、情報再生装置による、管理情報の確実な読み取りを実現することが可能となる。特に、レーザ光が、例えば波長が４０５ｎｍ等である相対的に短い波長のＢＤ等のように、スポット径が、例えばＤＶＤ等におけるスポット径よりも小さくなる場合、上述したようにトラックピッチを相対的に大きくすることは、再生品質の向上の観点で大変効果的であり望ましい。尚、本発明の情報記録媒体の実施例に係る光ディスクにおいては、上述した２種類の記録領域とは、例えば物理的な各種特性が異なる遷移領域を、例えば第２管理情報記録エリアと、ユーザデータエリアとの間に設けるようにしてもよい。【００７８】
次に、図３を参照して、本発明の情報記録媒体の実施例に係る光ディスクの記録面における物理的な構造について詳細に説明する。尚、図３においては、説明の便宜上、レーザ光は、上側から下側に向かって照射され、照射されるレーザ光に対して凸部によって、グルーブトラックＧＴが示され、凹部によって、ランドトラックＬＴが示される。言い換えると、仮にレーザ光が下側から上側に向かって照射され、照射されるレーザ光に対して凹部によって、グルーブトラックＧＴが示され、凸部によって、ランドトラックＬＴが示される。尚、一般的には、後述される原板が作成される際のカッティングする部分をグルーブ（溝）（凹部に相当される）と称すことを付記しておく。【００７９】
図３に示すように、本実施例に係る光ディスク１００は、ディスク状の保護層２０６上に（図３では下側に）、情報記録面を構成する加熱などによる非可逆変化記録型の記録層２０７が積層され、更にその上に（図３では下側）に、反射膜２０８が積層されている。
そして、反射膜２０８の上には（図３では下側）、基板２０５が形成され、外部からの埃や傷等から光ディスク１００を保護している。記録層２０７の表面からなる情報記録面には、グルーブトラックＧＴ及びランドトラックＬＴが交互に形成されている。尚、光ディスク１００の記録時及び再生時には、例えば図３に示したように、保護層２０６を介してグルーブトラックＧＴ上に、レーザ光ＬＢが照射される。例えば、記録時には、記録レーザパワーでレーザ光ＬＢが照射されることで、記録データに応じて、記録層２０７への加熱などによる非可逆変化記録が実施される。他方、再生時には、記録レーザパワーよりも弱い再生レーザパワーでレーザ光ＬＢが照射されることで、記録層２０７へ書き込みされた記録データの読出しが実施される。尚、本実施例では、例えばユーザデータエリアのグルーブトラックにおいて、記録マークを記録しても、ランドトラックにおいて、記録マークを記録するようにしてもよい。【００８０】
そして、グルーブトラックＧＴは、ウォブリングされており、そのウォブル１１９の周期は所定値に設定されている。このウォブル１１９により記録中のディスク回転制御や記録動作時に用いられる基準クロックＢ＿ＣＬＫの生成、また記録アドレス等のデータ記録に必要な情報を得ることができる。尚、グルーブトラックＧＴのウォブル１１９を周波数変調や位相変調など所定の変調方式により変調することによりプリフォーマットアドレスを予め記録するようにしてもよい。【００８１】
（１−２−２）局所的に分断されたグルーブトラックの溝形状
次に、図４を参照して、本発明の情報記録媒体の実施例に係る光ディスクにおける、例えばプッシュプル信号に基づいた再生特性に対応される、物理的な構成として、局所的に分断されたグルーブトラックの溝形状について説明する。ここに、図４は、本発明の情報記録媒体の実施例に係る光ディスクにおける、グルーブトラックの溝形状の一具体例に基づいた物理的な構成を図式的に示した拡大平面図、及び、対応される概略平面図である。【００８２】
図４に示されるように、本発明の情報記録媒体の実施例に係る光ディスクにおいては、ユーザデータエリア１０２に形成されるグルーブトラックの溝形状と、第２管理情報記録エリア２０に形成されるグルーブトラックの溝形状とは異なる。詳細には、ユーザデータエリア１０２に形成されるグルーブトラックは分断されていないのに対して、第２管理情報記録エリア２０に形成される第２グルーブトラックは分断されている。特に、図４中のグレー部分はグルーブトラックにおける溝が形成された部分を示す。より詳細には、第２管理情報記録エリア２０に形成されるグルーブトラックは、所定の間隙比率で分断されるようにしてもよい。ここに、「所定の間隙比率」とは、溝が形成された溝形成部の長さと、溝が形成されない間隙（スペース）の長さとの所定の割合を意味するようにしてもよい。或いは、（ｉ）溝形成部の長さと、（ｉｉ）溝形成部の長さとスペースの長さとの和との割合との割合を意味するようにしてもよい。尚、「所定の間隙比率」の詳細については、後述される。また、本実施例では、グルーブトラックにおいて、分断したが、ランドトラックにおいて、分断するようにしてもよい。【００８３】
（１−２−３）局所的に幅及び／又は深さが変化されたグルーブトラックの溝形状
次に、図５を参照して、本発明の情報記録媒体の実施例に係る光ディスクにおける、例えばプッシュプル信号に基づいた再生特性に対応される、物理的な構成として、局所的に幅及び／又は深さが変化されたグルーブトラックの溝形状について説明する。ここに、図５は、本発明の情報記録媒体のグルーブトラックの溝における幅及び深さの局所的な変化の一具体例を示したグラフである。【００８４】
図５に示されるように、本発明の情報記録媒体のグルーブトラックの溝における幅及び／又は深さは、局所的に変化されている。より詳細には、本願発明者らによる研究によれば、ユーザデータエリア１０２のグルーブトラックの溝における幅を、例えば「０．１６（μｍ）」の近傍とした場合、第２管理情報記録エリア２０のグルーブトラックの溝における幅を、相対的に狭くすることが好ましい。他方、ユーザデータエリア１０２のグルーブトラックの溝における深さを、例えば「４０（ｎｍ）」の近傍とした場合、第２管理情報記録エリア２０のグルーブトラックの溝における深さを、例えば「２０（ｎｍ）」から「３０（ｎｍ）」の範囲に収めて、相対的に浅くすることが好ましい。【００８５】
なお、グルーブトラックを局所的に分断することと、局所的に幅及び／又は深さを変化させることと、を組み合せて溝形状を形成してもよい。【００８６】
（１−２−４）局所的にグルーブトラックの溝形状が異なることの作用効果の検討
次に、図６から図８を参照して、本発明の情報記録媒体の実施例に係る光ディスクにおける、例えばプッシュプル信号に基づいた再生特性に対応される、物理的な構成として、局所的にグルーブトラックの溝形状が異なることに対する作用効果について検討する。ここに、図６は、本発明の情報記録媒体の実施例に係る光ディスクにおける、物理的な構成に対応される、再生特性の一具体例であるプッシュプル信号を図式的に示したグラフ、及び、対応される概略平面図である。図７は、本発明の情報記録媒体の実施例に係る光ディスクにおける、物理的な構成に対応される、プッシュプル信号と、フォーカスエラー信号との関係を示した概念図である。【００８７】
次に、図６中の信号波形図に示されるように、本発明の情報記録媒体の実施例に係る光ディスクにおいては、ユーザデータエリア１０２から読み取られるプッシュプル信号と、第２管理情報記録エリア２０から読み取られるプッシュプル信号とは異なり、第２管理情報記録エリア２０から読み取られるプッシュプル信号の振幅は、ユーザデータエリア１０２から読み取られるプッシュプル信号の振幅と比較して、相対的に大きくなる。【００８８】
特に、本発明の情報記録媒体の実施例に係る光ディスクにおいては、前述した図４に示されるように、第２管理情報記録エリア２０に形成されるグルーブトラックは、所定の間隙比率によって分断されている。或いは、前述した図５に示されるように、本発明の情報記録媒体のグルーブトラックの溝における幅及び／又は深さは、局所的に変化されている。従って、第２管理情報記録エリア２０に形成されるグルーブトラックは、ユーザデータエリア１０２に形成されるグルーブトラックの溝形状とは異なる。【００８９】
この結果、図７中の左側上方部の信号波形図に示されるように、第２管理情報記録エリア２０から読み取られるプッシュプル信号の振幅を、グルーブトラックが分断されていない場合と比較して、小さくすることが可能である。尚、図７中の最も左側の信号波形図は、プッシュプル信号（ＰＰ信号）、及び後述される漏れ込みノイズの振幅が分断される様子を示している。【００９０】
ここで、図８を参照して、「所定の間隙比率」の具体例について説明すると共に、その作用効果について、更に検討する。図８は、本発明の所定の間隙比率の値を決定するパラメータであるＰＰ信号の振幅の一例を示したグラフ（図８（ａ））、及び、所定の間隙比率の一例に対応されるグルーブと間隙を示した模式図（図８（ｂ））である。【００９１】
「所定の間隙比率」についての具体例としては、次式（１）によって、定義されるようにしてもよい。【００９２】
所定の間隙比率＝（分断後のＰＰ信号の振幅）/（分断前のＰＰ信号の振幅）  …(1)
尚、ＰＰ信号は、プッシュプル信号を示す。【００９３】
具体的には、図８（ａ）に示されるように、例えば、トラックピッチが０．３５μｍである第２管理情報記録エリアから取得されるプッシュプル信号の振幅が、トラックピッチが０．３２μｍであるユーザデータエリアから取得されるプッシュプル信号の振幅の「１．３」倍であったについて考察する。この場合、図８（ｂ）に示されるように、溝形成部の長さとスペースの長さとの割合（ここでは、（ｉ）溝形成部の長さと（ｉｉ）溝形成部の長さとスペースの長さとの和との割合）である「所定の間隙比率」を、「１／１．３」とすると、第２管理情報記録エリアから取得されるプッシュプル信号の振幅を、ユーザデータエリアから取得されるプッシュプル信号の振幅と概ね同じにすることが可能である。
具体的な間隙比率の値は、後述されるように、所定振幅のプッシュプル信号が得られるように決定されるようにしてもよい。即ち、間隙比率の調整は、例えば、実験的、経験的又は理論的若しくはシミュレーション等により、間隙比率を変えて、個別具体的に、所望のプッシュプル信号が得られるようにすればよい。加えて、間隙比率は、例えば、光ピックアップの対物レンズ等の再生光学系の開口率（ＮＡ：Numerical Aperture）、及び、レーザ光の波長に基づいて決定されるようにしてもよい。【００９４】
以上の結果、例えば対物レンズを面振れ方向やトラック振れ方向に変位させるアクチュエータを駆動する駆動回路において、第２管理情報記録エリアから得られる、振幅がより小さくされたプッシュプル信号に起因される漏れ込みノイズ（図７中の左下側部を参照）による、例えば非点収差法等のフォーカス制御への影響を低減させ、悪影響を殆ど又は完全に無くすことが可能である。従って、後述される情報再生装置において、フォーカス制御やトラッキング制御を含む各種自動制御をより高精度に行わせ、より高精度な情報の再生を実現することが可能である。【００９５】
（２）情報再生装置
次に、図９を参照して、本発明の情報再生装置の実施例について詳細に説明する。特に、本実施例は、本発明に係る情報再生装置を光ディスク用の情報再生装置に適用した例である。【００９６】
（２−１）基本構成
先ず、図９を参照して、本発明の情報再生装置に係る実施例における情報再生装置２００の基本構成について説明する。ここに、図９は、本発明の情報再生装置に係る実施例における情報再生装置２００の全体構成を示すブロック図である。【００９７】
情報再生装置２００は、光ディスク１００、光ピックアップ２０２、スピンドルモータ２０３、ヘッドアンプ２０４、総和生成回路２１０、マークデータ復調回路２１１、マークデータ訂正回路２１２、バッファ２１３、インターフェース２１４、プッシュプル信号生成回路２２０、ローパスフィルタ２２１及びサーボユニット２２２を備えて構成されている。【００９８】
光ディスク１００には、第１クロック信号ＣＫ１に同期したマークデータＤＰが記録マークＭＫの長短によって記録されている。ＲＦ再生信号成分の第１クロック信号ＣＫ１は、前述の光ディスク１００の各種実施例で説明したように、ウォブリング等に応じて、ほぼ一定周期で変動する光ディスク１００のＲＦ再生信号成分から、当該情報再生装置２００により生成可能な信号であり、本実施例では、マークデータ復調回路２１１により生成される。尚、本実施例では、記録マークＭＫはピットとも解釈でき、トラックはこのピット列によって構成される。【００９９】
情報再生装置２００は、より具体的には、光ディスク１００に対して再生ビームを照射するとともに反射光に応じた信号を出力する光ピックアップ２０２と、光ディスク１００の回転を制御するスピンドルモータ２０３と、サーボユニット２２２を備える。サーボユニット２２２には、第１クロック信号ＣＫ１及びマーク同期信号ＳＹＮＣｐが供給される。サーボユニット２２２は、これらの信号に同期して、スピンドルモータ２０３の回転を制御するスピンドルサーボ、光ピックアップ２０２の光ディスク１００に対する相対的位置制御であるフォーカスサーボ及びトラッキングサーボを実行する。【０１００】
光ピックアップ２０２は、再生ビームを照射するレーザーダイオード、図示しない４分割検出回路を備える。４分割検出回路は、再生ビームの反射光を図６の上方に示す領域１Ａ、１Ｂ、１Ｃ、１Ｄに４分割し、各領域の光量に応じた信号を各々出力する。ヘッドアンプ２０４は、光ピックアップ２０２の各出力信号を各々増幅し、領域１Ａに対応する分割読取信号１ａ、領域１Ｂに対応する分割読取信号１ｂ、領域１Ｃに対応する分割読取信号１ｃ、及び領域１Ｄに対応する分割読取信号１ｄを出力する。【０１０１】
総和生成回路２１０は、分割読取信号１ａ、１ｂ、１ｃ、及び１ｄを加算して、総和読取信号ＳＲＦを出力する加算回路からなる。なお、総和読取信号ＳＲＦは、記録マークの長短を表す信号である。【０１０２】
マークデータ復調回路２１１は、総和読取信号ＳＲＦに基づいてマークデータＤＰを再生すると共に第１クロック信号ＣＫ１を生成する。より具体的にはマークデータ復調回路２１１は、マーク同期信号ＳＹＮＣｐを基準位置として、再生されたマークデータＤＰを所定のテーブルを用いて復調して再生データを生成する。例えば、変調方式としてＲＬＬ（１，７）変調、所謂、Run Length Limited（１，７）Modulationが採用される場合には、３ビットのマークデータＤＰを２ビットの再生データに変換する処理が施される。そして、再生データの順序を予め定められた規則に従って並べ換えるデスクランブル処理が実行されて、処理済の再生データが出力される。【０１０３】
このようにして得られた再生データは、マークデータ訂正回路２１２へ供給され、そこで、エラー訂正処理や補間処理等が施された後、バッファ２１３に記憶される。インターフェース２１４はバッファ２１３に記憶されたデータを順次読み出して所定の出力形式に変換して外部機器へ出力する。【０１０４】
プッシュプル信号生成回路２２０は、（１ａ＋１ｄ）−（１ｂ＋１ｃ）を算出して、プッシュプル信号を生成する。成分（１ａ＋１ｄ）は、読取方向に対して左側の領域１Ａ及び１Ｄに対応する一方、成分（１ｂ＋１ｃ）は、読取方向に対して右側の領域１Ｂ及び１Ｃに対応する。プッシュプル信号の値は再生ビームとトラックとの相対的な位置関係を表している。詳細には、規格化されたプッシュプル信号の値は、プッシュプル信号生成回路２２０において、次の式（１）によって算出可能である。【０１０５】
「規格化されたプッシュプル信号の値」  ＝  
｛（１ａ＋１ｄ）−（１ｂ＋１ｃ）｝／（１ａ＋１ｂ＋１ｃ＋１ｄ）  ……  （１）
この式（１）に示されるように、規格化されたプッシュプル信号の値は、プッシュプル信号を、分割読み取り信号の総和で割った商を出力する割り算回路において算出される。この演算回路から出力されるプッシュプル信号に基づいて、ユーザーデータが記録される前、若しくは記録された後における、局所的な反射率の変化に起因されるプッシュプル信号の値の絶対値の変動を、補正した安定したプッシュプル信号が取得可能である。尚、回路的には、上述したプッシュプル信号の値ＰＰとは、（１ａ＋１ｄ）−（１ｂ＋１ｃ）なる信号のローパスフィルタから出力された信号の振幅（Ｐｅａｋ・ｔｏ・ｐｅａｋ値）を意味する。他方、上述した規格化されたプッシュプル信号の値ＮＰＰとは、｛（１ａ＋１ｄ）−（１ｂ＋１ｃ）｝／（１ａ＋１ｂ＋１ｃ＋１ｄ）なる信号のローパスフィルタから出力された信号の振幅（Ｐｅａｋ・ｔｏ・ｐｅａｋ値）を意味する。尚、図９の下側部分によって、半径方向（ラジアル方向）が、領域１Ａと領域１Ｂとに沿った方向によって示され、接線方向（タンジェンシャル方向）が、領域１Ｃと領域１Ｄとに沿った方向によって示されている。【０１０６】
プッシュプル信号はローパスフィルタ２２１を介してサーボユニット２２２へ出力される。サーボユニット２２２は、プッシュプル信号に基づいてトラッキング制御を実行する。【０１０７】
（３）情報記録媒体の製造装置（マスタリング装置）
次に、図１０から図１２を参照して、本発明の情報記録媒体の製造装置の実施例について詳細に説明する。特に、本実施例は、本発明の情報記録媒体の製造装置に係る実施例を光ディスク用のマスタリング装置に適用した例である。【０１０８】
（３−１）全体構成
先ず、図１０を参照して、本発明の製造装置に係る実施例であるマスタリング装置の全体構成について説明する。ここに、図１０は、本発明の製造装置に係る実施例であるマスタリング装置の全体構成を示すブロック図である。【０１０９】
図１０に示されるように、マスタリング装置５０は、ディスク原板ＤＳを作成するための装置であり、記録ユニット５２、ディスク原板ＤＳを回転させるスピンドルモータ５３及びサーボユニット５４を備える。ディスク原板ＤＳは、例えば、フォトレジストを塗布したガラス原板として構成される。記録ユニット５２は、レーザ光を照射するレーザ装置、レーザ光をディスク原板ＤＳに集光させる光学系、レーザ装置及び光学系を一体として、ディスク原板ＤＳの半径方向に移動させるスライダー装置を備える。レーザ装置は、ドライバ６５から供給される駆動信号に応じたレーザパワーのレーザ光を発光する。スライダー装置はサーボユニット５４からの制御信号に従って、光学系及びレーザ装置をディスク原板ＤＳの半径方向に移動させる。【０１１０】
サーボユニット５４には、第１クロック信号ＣＫ１及びピット同期信号ＳＹＮＣｐが供給される。サーボユニット５４は、これらの信号に同期して、スピンドルモータ５３の回転を制御するスピンドルサーボ、レーザ光のフォーカスを制御するフォーカスサーボ及びスライダー装置を制御するスライドサーボを実行する。そして、トラックピッチの制御を行うのである。また、図示しないウォブル変調器によりレーザ光を半径方向に移動させ溝形状を形成する。【０１１１】
第１クロック信号ＣＫ１は第１クロック信号発生回路７１によって生成される。また、分周回路７２は、第１クロック信号ＣＫ１を分周して、第２クロック信号ＣＫ２等を生成する。第２クロック信号ＣＫ２はウォブル信号ＷＢの生成に用いられ、その時間基準となる。【０１１２】
説明を図１０に戻す。マスタリング装置５０には、外部機器から入力データＤｉｎが供給される。入力データＤｉｎはインターフェース６０を介してバッファ６１に取り込まれる。バッファ６１に取り込まれた入力データＤｉｎは、ＣＰＵ（Central Processing Unit）の制御の下、ウォブルデータＤＷとに分割され、ウォブルデータメモリ６６とに各々転送される。そして、ウォブルデータメモリ６６に記憶されたウォブルデータＤＷは、ＣＰＵの制御の下、そこから読み出されてＥＣＣ生成回路６７に供給される。ＥＣＣ生成回路６７はウォブルデータＤＷに基づいてエラー訂正コードを生成し、これをウォブルデータＤＷに付加する。ウォブルデータ生成回路６９は、ウォブルデータＤＷにウォブル同期信号ＳＹＮＣｗを付加した後、データＳＳを生成する。【０１１３】
ウォブル信号生成回路７０は、データＳＳに所定の変調を施してウォブル信号ＷＢを生成する。ここで、２種類のグルーブトラックに夫々対応した、２種類のウォブル信号を生成するのである。【０１１４】
（３−２）製造手順
次に図１１及び図１２を参照して、本発明の情報記録媒体の製造装置に係る一及び他の製造手順について、その作用効果の検討を含めて説明する。【０１１５】
（３−２−１）一の製造手順（グルーブトラックの局所的な分断）
先ず、図１１を参照して、一の製造手順として、グルーブトラックの局所的な分断について説明する。ここに、図１１は、本発明の情報記録媒体の製造装置に係る一の製造手順を図式的に示した模式図である。【０１１６】
図１１中のステップ１に示されるように、ガラス原板において、当該ガラス原板が回転されながら粘性のあるフォトレジスト（感光樹脂）が、滴下され均一な厚さで塗布される、所謂、スピンコートが行われる。【０１１７】
次に、図１１中のステップ２に示されるように、ユーザデータエリアを形成するためのガラス原板の部分１０２ａ、及び、第２管理情報記録エリアを形成するためのガラス原板の部分２０ａにおいて、例えば電子線や紫外線等のカッティング用レーザ光が、所定のレーザパワーで照射される。このようにカッティング用レーザ光が照射された部分は、光エネルギーによりフォトレジストが分子のレベルで結合が切られた状態になるので、現像液に浸されることによって、穴があいた状態となり、カッティング部が、部分２０ａ及び部分１０２ａにおいて夫々形成される。詳細には、溝における幅は、レーザパワーに加えて、カッティング用レーザ光のビーム径によって決定可能である。また、溝における深さは、レーザパワーに加えて、フォトレジストの厚さによって決定可能である。尚、レーザパワーは、原板を構成するフォトレジストの感度に適切に対応していることが望ましい。【０１１８】
特に、当該ステップ２において、第２管理情報記録エリアのグルーブトラックを所定の間隙比率で分断するために、カッティング用レーザ光の照射を、間隙比率に対応される所定の周期で、断続的に変化させる。従って、後述されるステップ５における射出成型を経て、当該光ディスクの第２管理情報記録エリアのグルーブトラックを所定の間隙比率で分断させることが可能である。【０１１９】
次に、図１１中のステップ３に示されるように、電鋳工程によって、ニッケルの薄膜の上にニッケルが積層されていき、厚いニッケル層がガラス原板の上に形成される。【０１２０】
次に、図１１中のステップ４に示されるように、ガラス原板から、ニッケル層が引き剥がされ、マスタスタンパが作成される。このマスタスタンパから、同じく電鋳工程を経て、マザースタンパ及びベビースタンパが作成される。ベビースタンパは、転写を２回経ているので、マスタスタンパと同じ凹凸が形成されている。【０１２１】
次に、図１１中のステップ５に示されるように、射出成型機によって、ベビースタンパから樹脂基板、所謂、ポリカーボネート基板が作成される。特に、前述したステップ２に基づいて、ベビースタンパの部分２０ａは、所定の間隙比率で分断されているので、当該光ディスクの第２管理情報記録エリアのグルーブトラックを所定の間隙比率で分断させることが可能である。【０１２２】
最後に、図１１中のステップ６に示されるように、反射膜が貼り付けられ、例えばダミー基板や信号面を保持する基板が貼り合わせられることによって、光ディスクが作成される。【０１２３】
（３−２−２）他の製造手順（グルーブトラックの溝の幅及び／又は深さの局所的な変化）
次に、図１２を参照して、他の製造手順として、グルーブトラックの溝形状である溝の幅及び／又は深さの局所的な変化について説明する。ここに、図１２は、本発明の情報記録媒体の製造装置に係る他の製造手順を図式的に示した模式図である。尚、他の製造手順における基本的な構成及び原理は、前述した一の製造手順と概ね同様であるので、同様の箇所の説明は適宜省略する。【０１２４】
図１２中のステップ１に示されるように、ガラス原板において、当該ガラス原板が回転されながら粘性のあるフォトレジスト（感光樹脂）が、滴下され均一な厚さで塗布される、所謂、スピンコートが行われる。【０１２５】
次に、図１２中のステップ２に示されるように、第２管理情報記録エリアを形成するためのガラス原板の部分２０ａにおいて、例えば電子線や紫外線等のカッティング用レーザ光が、ユーザデータエリアを形成するためのガラス原板の部分１０２ａにおけるレーザパワーと比較して相対的に低いレーザパワーで照射される。このようにカッティング用レーザ光が照射された部分は、前述したように、光エネルギーによりフォトレジストが分子のレベルで結合が切られた状態になるので、現像液に浸されることによって、穴があいた状態となり、カッティング部が、部分２０ａ及び部分１０２ａにおいて夫々形成される。【０１２６】
この結果、第２管理情報記録エリアを形成するためのガラス原板の部分２０ａの溝における幅を相対的に狭くすることができると共に、深さを相対的に浅くすることができる。
詳細には、溝における幅は、レーザパワーに加えて、カッティング用レーザ光のビーム径によって決定可能である。また、溝における深さは、レーザパワーに加えて、フォトレジストの厚さによって決定可能である。尚、レーザパワーは、原板を構成するフォトレジストの感度に適切に対応していることが望ましい。【０１２７】
次に、図１２中のステップ３に示されるように、電鋳工程によって、ニッケルの薄膜の上にニッケルが積層されていき、厚いニッケル層がガラス原板の上に形成される。【０１２８】
次に、図１２中のステップ４に示されるように、ガラス原板から、ニッケル層が引き剥がされ、マスタスタンパが作成される。このマスタスタンパから、同じく電鋳工程を経て、マザースタンパ及びベビースタンパが作成される。ベビースタンパは、転写を２回経ているので、マスタスタンパと同じ凹凸が形成されている。【０１２９】
次に、図１２中のステップ５に示されるように、射出成型機によって、ベビースタンパから樹脂基板、所謂、ポリカーボネート基板が作成される。【０１３０】
最後に、図１２中のステップ６に示されるように、反射膜が貼り付けられ、例えばダミー基板や信号面を保持する基板が貼り合わせられることによって、光ディスクが作成される。【０１３１】
上述した他の製造手順の結果、本発明の情報記録媒体のグルーブトラックの溝形状である溝の幅及び／又は深さを、局所的に変化させることが可能である。言い換えると、本発明の情報記録媒体における第２管理情報記録エリア２０のグルーブトラックの溝における幅を、ユーザデータエリア１０２のグルーブトラックの溝における幅と比較して相対的に狭くすることが可能である。加えて、第２管理情報記録エリア２０のグルーブトラックの溝における深さを、ユーザデータエリア１０２のグルーブトラックの溝における深さと比較して相対的に浅くすることが可能である。この結果、本発明の情報記録媒体の製造装置に係る他の製造手順においては、カッティング用レーザ光が、局所的に異なったレーザパワーで、ガラス原板に照射されるので、本発明の情報記録媒体のグルーブトラックの溝形状である溝の幅及び／又は深さを、局所的に変化させることが可能である。【０１３２】
尚、上述した一の製造手順においては、カッティング用レーザ光が、均一なレーザパワーで、ガラス原板に照射させることで、本発明の情報記録媒体のグルーブトラックの溝形状である溝の幅及び深さの少なくとも一方を、均一にさせた。しかしながら、上述した他の製造手順を組み合わせて、例えば、一の製造手順を示した図１１中のステップ２において、第２管理情報記録エリアを形成するためのガラス原板の部分２０ａにおいて、例えば電子線や紫外線等のカッティング用レーザ光が、ユーザデータエリアを形成するためのガラス原板の部分１０２ａにおけるレーザパワーと比較して相対的に低いレーザパワーで照射されるようにしてもよい。従って、本発明の情報記録媒体のグルーブトラックを分断させつつ、当該グルーブトラックの溝形状である溝の幅及び／又は深さを、局所的に変化させることも可能である。言い換えると、本発明の情報記録媒体における第２管理情報記録エリア２０のグルーブトラックを分断させつつ、当該グルーブトラックの溝における幅を、ユーザデータエリア１０２のグルーブトラックの溝における幅と比較して相対的に狭くすることも可能である。加えて、第２管理情報記録エリア２０のグルーブトラックを分断させつつ、当該グルーブトラックの溝における深さを、ユーザデータエリア１０２のグルーブトラックの溝における深さと比較して相対的に浅くすることも可能である。【０１３３】
さて、以上の手順で製造されたスタンパからステップ５で形成された基板上に、ステップ６において図３で示されるような情報記録媒体を構成する記録層２０７を形成する。【０１３４】
図３中で示される、非可逆変化記録型の記録層２０７を用いる情報記録媒体としては、ＣＤ−Ｒ，ＤＶＤ−Ｒがすでに広く普及しており、実績もあるので、より高密度化された情報媒体を主眼とする本発明情報記録媒体においても、同様の記録メカニズム（同様な記録方法）に基づいた記録層を適用することが好ましい。ＣＤ−ＲやＤＶＤ−Ｒでは、記録再生光用のレーザ光の波長に対して透過性の高い記録層用の材料を用い、記録部位における位相差変化を利用して、反射光の光強度の変化を生じせしめる。このように、記録部位での位相変化を伴う媒体では、記録前後において（言い換えると、未記録状態と記録済み状態において）、プッシュプル信号若しくは規格化プッシュプル信号値が大きく変化し、記録済み状態におけるプッシュプル信号値、若しくは、規格化されたプッシュプル信号の値が低減する場合がある。ＣＤ−Ｒ，ＤＶＤ−Ｒでは、記録前の規格化されたプッシュプル信号の値ＮＰＰｂと、記録後の規格化されたプッシュプル信号の値ＮＰＰａとの比、ＮＰＰａ／ＮＰＰｂが、０．５−０．８程度となる。【０１３５】
特に、このような情報記録媒体において、記録後の第１情報記録エリアの規格化されたプッシュプル信号の値ＮＰＰａ１と、未記録の第２情報記録エリアの規格化されたプッシュプル信号の値ＮＰＰｂ２が、同程度の値となり、記録後のデータの読み取りに際して、第１及び第２情報記録エリアの規格化されたプッシュプル信号の値をそろえることがむしろ好ましい。未記録のユーザーデータエリア（例えば第１情報記録エリア上の未記録のユーザーデータエリア）にランダムアクセスすることは、実際上少なくて、内周から外周へ順に記録していくことがほとんどの場合である。他方、第２情報記録エリアを横切って、第１情報記録エリア内の特定アドレスにランダムにアクセスするのは、むしろ、第１情報記録エリアにユーザーデータが存在する場合、言い換えると、第１情報記録エリアが記録済み状態の場合が多い。つまり、ＮＰＰａ１とＮＰＰｂ２が略（ほぼ）等しくなっていることが好ましい。ここに、本実施例に係る、「略等しい」とは、ＮＰＰａ１とＮＰＰｂ２との変動量が±6dB以内、言い換えると、「ＮＰＰａ１／ＮＰＰｂ２」の比の値が、「０．５」から「２．０」の範囲内にあることである。この範囲内であれば、プッシュプル信号生成回路２２０、ローパスフィルタ２２１、サーボユニット２２２等への入力信号の信号振幅が情報記録エリアの位置によらず略一定となり、ゲインの切り替え等の操作が不要になり、回路及びサーボ動作が簡素化されて好ましい。更に、上述したＮＰＰａ１とＮＰＰｂ２との変動量が、±3dB以内、言い換えると、「ＮＰＰａ１／ＮＰＰｂ２」の比の値が、「０．７０７」から「１．４２」の範囲であれば、前述した各構成要素の動作制御におけるばらつきに対する余裕が大きくなり、より好ましいサーボ動作が可能となる。【０１３６】
前述のように、第２情報記録エリアの第２トラックのウォブリングに基づいて記録された、再生専用の管理情報データの再生能力を高めるため、第２トラックのトラックピッチが第１情報記録エリアの第１トラックのトラックピッチより広く設定された情報記録媒体において、溝形状が同じであれば、上述したようにＮＰＰｂ１＞ＮＰＰａ１となることに加えて、ＮＰＰｂ２＞ＮＰＰｂ１となるのが普通である。従って、ＮＰＰａ１と、ＮＰＰｂ２とを、略等しくするためには、当然、ＮＰＰｂ２＜ＮＰＰｂ１となる条件が存在する必要がある。【０１３７】
このＮＰＰｂ２＜ＮＰＰｂ１となる条件が存在するためには、特に、第２トラックにおける溝の幅、若しくは溝の深さの少なくとも一方を、第１トラックにおける溝の幅、若しくは、溝の深さより、十分小さく（又は浅く）する必要がある。上述した「（１−２−３）局所的に幅及び又は深さが変化されたグルーブトラックの溝形状」の図５を用いて説明した例において、第１及び第２トラックのトラックピッチをそれぞれ、「０．３２μｍ」及び「０．３５μｍ」とし、溝の幅を「０．１６μｍ」程度とするとき、第１トラックの溝の深さを約「４０（ｎｍ）」、第２トラックの溝の深さを約「２０（ｎｍ）」から「３０（ｎｍ）」とした例は、このように、ＮＰＰｂ２＜ＮＰＰｂ１となる例に該当する。【０１３８】
より具体的には、溝の幅が約０．１７（μｍ）である第１情報記録エリアの第１トラックの溝の深さを４０（ｎｍ）とし、溝の幅が０．１７（μｍ）である第２情報記録エリアの第２トラックの溝の深さを２３（ｎｍ）とする。このような、溝の形状を得るには、図１２のステップ１において形成するフォトレジスト層の厚みを４０から４５（ｎｍ）（通常は、第１情報記録領域の第１トラックの溝の深さと同等か、１０−２０％程度だけ厚目とする）とする。そして、このような溝の形状を得るには、ステップ２におけるレーザーによるカッティング時に、第２トラックにおけるレーザーパワーと、第１トラックのレーザーパワーとの比を、「２：３」程度とすることによって得られる。【０１３９】
ステップ６において、上述して得られる該溝状が転写された基板上に、Ａｇ合金反射膜を厚さ５０（ｎｍ）、記録において位相変化を伴う記録層を厚さ３０（ｎｍ）、光透過性を有する保護層を厚さ１００（μｍ）だけを、この順に設ける。そして、「ＮＰＰａ１／ＮＰＰｂ１」の比の範囲が「０．５」から「０．７」である情報記録媒体を、波長４０５ｎｍ、ＮＡが「０．８５」の光学系で光透過層の側から記録再生を行う。この場合、「ＮＰＰｂ１」の値の範囲は、「０．５」から「０．６」、「ＮＰＰａ１」の値の範囲は、「０．２５」から「０．４２」、「ＮＰＰｂ２」の値の範囲は、「０．３」から「０．４」となる。【０１４０】
（３）本発明の情報記録媒体の第２実施例
次に、本発明の情報記録媒体の第２実施例について説明する。【０１４１】
（３−１）管理情報
図１３を参照して、本発明の情報記録媒体に係る第２実施例における管理情報の一具体例について説明する。ここに、図１３は、本発明の情報記録媒体に係る第２実施例における、第２管理情報記録エリアに形成されたグルーブトラックの溝が分断されているか否かを示す識別情報（フラグ）等を含む管理情報を示したテーブルである。【０１４２】
図１３に示されるように、例えば第２管理情報記録エリアに記録される管理情報は、（ｉ）当該光ディスクが、２層型、又は単層型であることを示す情報、（ｉｉ）当該光ディスクの記録層にとって最適記録パワーの値、及び（ｉｉｉ）第２管理情報記録エリアにおいて、グルーブトラックの溝が分断されているか否かを示す識別情報（フラグ）を含むようにしてもよい。加えて、この識別情報は、グルーブトラックの溝形状である溝の幅及び／又は深さを、局所的に変化されているか否かを示すようにしてもよい。【０１４３】
更に、加えて、前述した、トラッキング制御に依存せずに情報の読み取りが可能な判別情報記録エリア、所謂、ＢＣＡ（Burst Cutting Area）において、光ディスクの各種の属性を示す判別情報に加えて、又は、に含まれて、識別情報が予め記録されるようにしてもよい。【０１４４】
この結果、例えばＢＤプレーヤー等の情報再生装置は、再生対象となる情報記録媒体の第２管理情報記録エリアにおいて、グルーブトラックの溝が分断されているかを、迅速且つ的確に判定して、当該情報記録媒体を迅速且つ的確に再生することが可能となる。【０１４５】
（３−２）再生方法
次に、図１４を参照して、本発明の情報記録媒体の第２実施例に対する再生方法について説明する。ここに、図１４は、本発明の情報記録媒体に対する再生方法の一具体例を示したフローチャートである。【０１４６】
図１４に示されるように、光ディスク１００が装着されると、ＣＰＵ等の制御手段の制御下で、光ピックアップ等の読出手段によって、初期動作として、例えばＢＣＡに予め記録された、各種に管理情報が取得される（ステップＳ１０１）。【０１４７】
次に、ＣＰＵ等の制御手段の制御下で、取得された管理情報に含まれる識別情報（フラグ）に基づいて、例えば第２管理情報記録エリアに形成されたグルーブトラックの溝が分断されているか否かが判定される（ステップＳ１０２）。加えて、この識別情報は、グルーブトラックの溝形状である溝の幅及び／又は深さを、局所的に変化されているか否かが判定されるようにしてもよい。ここで、例えば第２管理情報記録エリアに形成されたグルーブトラックの溝が分断されている場合（ステップＳ１０２：Ｙｅｓ）、第２管理情報記録エリアに予め記録された情報の再生が行われ、各種の管理情報が取得される（ステップＳ１０３）。【０１４８】
他方、第２管理情報記録エリアに形成されたグルーブトラックの溝が分断されていない場合（ステップＳ１０２：Ｎｏ）、ユーザデータエリアとトラックピッチが同じである第１管理情報記録エリアに予め記録された情報の再生が行われ、各種の管理情報が取得される（ステップＳ１０４）。このように、各種の管理情報の全体又は部分を、複数の管理情報記録エリアに分散させて冗長性を高めて、予め記録しておくことで、管理情報のより確実且つ迅速な読み取りを実現することが可能となる。【０１４９】
次に、ＣＰＵ等の制御手段の制御下で、再生動作を終了するか否かが判定される（ステップＳ１０５）。ここで、再生動作を終了する場合（ステップＳ１０５：Ｙｅｓ）、一連の処理は終了される。他方、再生動作を終了しない場合（ステップＳ１０５：Ｎｏ）、再度、第２管理情報記録エリアに形成されたグルーブトラックの溝が分断されているか否かが判定されるようにしてもよい（ステップＳ１０２）。【０１５０】
（５）本発明の情報記録媒体の第３実施例
次に、図１５を参照して、本発明の情報記録媒体に係る第３実施例について説明する。
ここに、図１５は、本発明の情報記録媒体に係る第３実施例の光ディスクの半径方向における記録エリアの構造を図式的に示した概念図である。【０１５１】
第３実施例の光ディスク１００は、図１５に示されるように、例えば、図示しない基板に、２つの記録層、即ち、Ｌ０層及びＬ１層が積層された構造をしている。Ｌ０層は、内周側から外周側に向かって、第１管理情報記録エリア２１、及び、第２管理情報記録エリア２０を含むリードインエリア１０１−０、ユーザデータエリア１０２−０、及び、ミドルエリア１０４−０を備えて構成されている。他方、Ｌ１層は、外周側から内周側に向かって、ミドルエリア１０４−１、ユーザデータエリア１０２−１、及び、リードアウトエリア１０３−１を備えて構成されている。このような二層型の光ディスク１００の再生時には、図１５中、下側から上側に向かって照射されるレーザ光の集光位置をいずれの記録層に合わせるかに応じて、Ｌ０層における再生が行なわれるか、或いは、Ｌ１層における再生が行われる。尚、オポジット方式における再生順番は、先ず、レーザ光が照射される側から見て奥側に位置するＬ０層の内周側から外周側へ向かって再生され、続いて、レーザ光が照射される側から見て手前側に位置するＬ１層の外周側から内周側へ向かって再生されるようにしてもよい。【０１５２】
加えて、複数の情報を夫々記録するための、例えば３層以上の複数の記録層を備えており、複数の記録層のうち、少なくとも一の記録層は、第１管理情報記録エリア、及び第２管理情報記録エリアを備えるようにしてもよい。【０１５３】
上述した実施例によれば、一のトラックピッチに基づいて再生するための一のトラックが形成されたユーザデータエリアと、一のトラックピッチとは異なる他のトラックピッチに基づいて再生するための他のトラックが形成された第２管理情報記録エリアとを少なくとも備え、一のトラックの溝形状と、他のトラックの溝形状とは異なる。この結果、情報再生装置において、フォーカス制御やトラッキング制御を含む各種自動制御をより高精度に行わせ、より高精度な情報の再生を実現させることが可能である。【０１５４】
上述した実施例では、情報記録媒体の一具体例として、例えばブルーレイ、赤色ＬＤ光、又は赤外光等の複数種類のレーザ光によって記録又は再生が可能な、単層型の光ディスクについて説明した。加えて、本発明は、例えば、２層以上の記録層を備える多層型（マルチプルレイヤ型）の光ディスクにも適用可能である。更に、他の高密度記録或いは高転送レート対応の各種の情報記録媒体にも適用可能である。【０１５５】
また、上述した実施例では、情報再生装置の一具体例として、例えば単層型の光ディスクに対応した情報再生装置について説明した。加えて、本発明は、例えば、２層以上の記録層を備える多層型（マルチプルレイヤ型）の光ディスクに対応した情報記録再生装置にも適用可能である。更に、他の高密度記録或いは高転送レート対応の各種の情報記録媒体に対応した情報記録再生装置にも適用可能である。【０１５６】
本発明は、上述した実施例に限られるものではなく、請求の範囲及び明細書全体から読み取れる発明の要旨或いは思想に反しない範囲で適宜変更可能であり、そのような変更を伴う、情報記録媒体、情報再生装置及び方法、並びに、情報記録媒体の製造装置及び方法もまた本発明の技術的範囲に含まれるものである。
【産業上の利用可能性】
【０１５７】
本発明に係る情報記録媒体、情報再生装置及び方法、並びに、情報記録媒体の製造装置及び方法は、例えばＤＶＤ（Digital Versatile Disc）、ＢＤ（Blu-ray Disc）、ＣＤ（Compact Disc）等の情報記録媒体などに利用可能であり、当該情報記録媒体に情報を再生するためのＤＶＤプレーヤー等の情報再生装置及び方法、並びに、情報記録媒体を製造する製造装置及び方法にも利用可能である。
【図１】
0004543084.tif 000002
【図２】
0004543084.tif 000003
【図３】
0004543084.tif 000004
【図４】
0004543084.tif 000005
【図５】
0004543084.tif 000006
【図６】
0004543084.tif 000007
【図７】
0004543084.tif 000008
【図８】
0004543084.tif 000009
【図９】
0004543084.tif 000010
【図１０】
0004543084.tif 000011
【図１１】
0004543084.tif 000012
【図１２】
0004543084.tif 000013
【図１３】
0004543084.tif 000014
【図１４】
0004543084.tif 000015
【図１５】
0004543084.tif 000016